(57)【要約】      （修正有）【課題】ハンディタイプで任意の場所に自由に持ち運んで使用が可能な携帯用マイナスイオン発生加湿器を提供する。【解決手段】柱状の本体下部に配置された水タンクと、水タンクの上方に配置され、水タンク内の水を本体の中央において吸い上げて上方へと運ぶ綿棒と、綿棒の上方に配置されて、綿棒から供給される水を霧化して本体上面の中央放出孔１７３０から外部上方へ放出する超音波霧化ユニットと、綿棒の周囲に配置された内蔵バッテリー及びマイナスイオン発生器と、を備える。マイナスイオンは、中央放出孔の周囲であって本体上面に設けられたマイナスイオン放出孔１７１０（ａ）〜（ｄ）から放出される。また、本体上面には空気取り入れ孔１７２０（ａ）〜（ｄ）を備える。【選択図】図１
0003215025.tif 000002
【実用新案登録請求の範囲】
【請求項１】
柱状の本体下部に配置された水タンクと、
前記水タンクの上方に配置され、前記水タンク内の水を前記本体の中央において吸い上げて上方へと運ぶ綿棒と、
前記綿棒の上方に配置されて、前記綿棒から供給される水を霧化して前記本体上面の中央放出孔から外部上方へ放出する超音波霧化ユニットと、
前記綿棒の周囲に配置された内蔵バッテリー及びマイナスイオン発生器と、を備える
ことを特徴とする携帯用マイナスイオン発生加湿器。
【請求項２】
請求項１に記載の携帯用マイナスイオン発生加湿器において、
前記マイナスイオン発生器で生成されたマイナスイオンは、前記中央放出孔の周囲であって前記本体上面に設けられたマイナスイオン放出孔から放出される
ことを特徴とする携帯用マイナスイオン発生加湿器。
【請求項３】
請求項２に記載の携帯用マイナスイオン発生加湿器において、
前記本体上面には、前記本体の内部へ空気を取り入れる空気取り入れ孔を、さらに備える
ことを特徴とする携帯用マイナスイオン発生加湿器。
【請求項４】
請求項３に記載の携帯用マイナスイオン発生加湿器において、
前記マイナスイオン放出孔と前記空気取り入れ孔とは、前記中央放出孔から放射状に設けられる
ことを特徴とする携帯用マイナスイオン発生加湿器。
【請求項５】
請求項４に記載の携帯用マイナスイオン発生加湿器において、
前記マイナスイオン放出孔と前記空気取り入れ孔とは、前記中央放出孔に対して対称に構成される
ことを特徴とする携帯用マイナスイオン発生加湿器。
【請求項６】
請求項１乃至請求項５のいずれか一項に記載の携帯用マイナスイオン発生加湿器において、
前記本体は、平面視の外形が六角形である
ことを特徴とする携帯用マイナスイオン発生加湿器。
【請求項７】
請求項１乃至請求項６のいずれか一項に記載の携帯用マイナスイオン発生加湿器において、
前記中央放出孔は、前記本体上面に対して突出して設けられる
ことを特徴とする携帯用マイナスイオン発生加湿器。
【請求項８】
請求項１乃至請求項７のいずれか一項に記載の携帯用マイナスイオン発生加湿器において、
前記本体の側面には、前記水タンク内の水位を確認できる水位確認窓が設けられる
ことを特徴とする携帯用マイナスイオン発生加湿器。
【請求項９】
請求項１乃至請求項８のいずれか一項に記載の携帯用マイナスイオン発生加湿器において、
前記本体の上面には、電源スイッチが配置される
ことを特徴とする携帯用マイナスイオン発生加湿器。
【請求項１０】
請求項１乃至請求項９のいずれか一項に記載の携帯用マイナスイオン発生加湿器において、
前記中央放出孔は、六角形である
ことを特徴とする携帯用マイナスイオン発生加湿器。
【請求項１１】
請求項１乃至請求項１０のいずれか一項に記載の携帯用マイナスイオン発生加湿器において、
前記本体の側面は、任意の大きさ及び形状の三角形を単位とする複数の面で構成される
ことを特徴とする携帯用マイナスイオン発生加湿器。
【請求項１２】
請求項１１に記載の携帯用マイナスイオン発生加湿器において、
前記三角形を単位とする複数の面は、隣り合う面が互いに異なる向きに配置される
ことを特徴とする携帯用マイナスイオン発生加湿器。
【考案の詳細な説明】
【技術分野】
【０００１】
本考案は、ユーザがコンセントの有無を考慮することなく、室内・室外等任意の場所に簡単に持ち運び及び配置可能な携帯用マイナスイオン発生加湿器に関する。
【背景技術】
【０００２】
従来の美容用加湿器は水分が気化して供給される単純な機能だけで、場合によっては供給する加湿空気の中には有害物質や有害微生物が含まれていることもあって、皮膚美容の効果が悪くなるとの問題を解決するために、加湿空気と陰イオンが供給されるようにする発明が下記特許文献１に記載されている。これによれば、有害物質は精化し、有害微生物は殺菌することができるので、皮膚細胞の新陳代謝が促進される一方、お肌の美容効果が向上される美容加湿器を提供できることが記載されている。
【０００３】
この文献に開示される美容用加湿器は、ハウジングに着脱される貯水タンクの水を供給してもらい、それを気化する貯水供給部；上記貯水供給部で気化された水を供給してもらって加熱する加湿空気発生器；陰イオンを発生して供給する陰イオン発生器；上記加湿空気をハウジングの外部へ噴射供給する加湿空気噴射口；及び上記貯水供給部と加湿空気発生器と陰イオン発生器の動作を制御する制御部を含み、さらに、加湿空気には陰イオンを混ぜて、加湿空気噴射口を通して噴射供給するものである。
【先行技術文献】
【特許文献】
【０００４】
【特許文献１】特表２０１３−５３４８５５号公報
【考案の概要】
【考案が解決しようとする課題】
【０００５】
上記特許文献１には、「ハンディ噴射口（９３）」を本体に接続して人体の顔等に陰イオンを混ぜた加湿空気を噴射できることが記載されている。しかし、本体の電源はコンセントから有線供給される構成であって、家庭用電源の存在しないアウトドア（例えばテント内）や車内、卓上等の任意箇所で用いることはできないものである。
【０００６】
また、美容目的の機器であることから、人体の特定箇所にスポット的に集中して噴射することを企図しており、ユーザが位置する室内等の空気環境に作用するものではないことは、加湿空気と陰イオンとを混合噴射していることからも明らかである。
【０００７】
さらに、特許文献１の加湿方法は、「集中加熱部（５１ａ）」を利用するものであって、要は水を蒸発させて発生した蒸気を噴射させるものである。これは、美容目的であることを考慮すれば、人体の噴射箇所に対して温熱効果をも付与し得ることからも納得できる構成ではある。
【０００８】
しかし、加熱蒸発による水蒸気の発生機構は、温度の高い水蒸気や加湿空気を放出させるものであるから室温等の環境温度を上昇させるものとなるので、人体へのスポット利用には適しているとしても、空気環境の改善を目的とする用途にはふさわしいとは言えない。さらに、コンセントによる有線電源の構成では使用可能な場所が極めて限定されるものとなるので、頻繁に移動しながら使用したい場合や、電源コンセントの存在しない場所で使用したい場合等には対応不可である。
【０００９】
さらに、本体とは別に噴射ノズル等を備えるものとすれば、人体の任意箇所に噴射する美容目的にはよいとしても、嵩張るだけではなく重量も重くなるので、容易に持ち運んで任意箇所で利用することには適切ではない。従って、本考案は、ハンディタイプで任意の場所に自由に持ち運んで使用が可能な携帯用マイナスイオン発生加湿器を提案することを目的とする。
【課題を解決するための手段】
【００１０】
前記の課題を解決するために、本考案では、柱状の本体下部に配置された水タンクと、水タンクの上方に配置され、水タンク内の水を前記本体の中央において吸い上げて上方へと運ぶ綿棒と、綿棒の上方に配置されて、綿棒から供給される水を霧化して本体上面の中央放出孔から外部上方へ放出する超音波霧化ユニットと、綿棒の周囲に配置された内蔵バッテリー及びマイナスイオン発生器と、を備える携帯用マイナスイオン発生加湿器とする。
【考案の効果】
【００１１】
本考案により、ハンディタイプで任意の場所に自由に持ち運んで使用が可能な携帯用マイナスイオン発生加湿器が実現できる。
【図面の簡単な説明】
【００１２】
【図１】本考案の携帯用マイナスイオン発生加湿器の外観を説明する斜視図である。
【図２】本考案の携帯用マイナスイオン発生加湿器の外観を説明する正面図である。
【図３】本考案の携帯用マイナスイオン発生加湿器の外観を説明する背面図である。
【図４】本考案の携帯用マイナスイオン発生加湿器の外観を説明する平面図である。
【図５】本考案の携帯用マイナスイオン発生加湿器の外観を説明する底面図である。
【図６】本考案の携帯用マイナスイオン発生加湿器の外観を説明する右側面図である。
【図７】本考案の携帯用マイナスイオン発生加湿器の外観を説明する左側面図である。
【図８】本考案の携帯用マイナスイオン発生加湿器の内部構成概要を説明する図である。
【考案を実施するための形態】
【００１３】
本考案により、片手で握れるペットボトル程度の大きさの携帯タイプ（ハンディタイプ）の加湿器であって、上面の中央放出孔から蒸気を外部へ放出し、その周囲の放射状スリットからマイナスイオンも発生することができる携帯用マイナスイオン発生加湿器を実現できる。携帯用マイナスイオン発生加湿器の下部約半分は水タンクになっており、任意の場所に持ち運んで内部バッテリーにより所定時間だけ動作可能である。また、ＵＳＢ端子を備えているのでＵＳＢ電源からの電力供給による動作も可能であるし、ＵＳＢ電源から内部バッテリーへ充電することも可能である。そこで、以下に図面に基づいてさらに詳細に説明する。
【００１４】
図１は、本考案の携帯用マイナスイオン発生加湿器１０００の外観を説明する斜視図である。携帯用マイナスイオン発生加湿器１０００は、片手で握れる５００ｍｌペットボトル程度の大きさであって、六角形の縦長柱状の形状を呈する。その各外面は、複数の小さな三角形の平面から構成される多面体で構成されており、隣り合う三角形の各面は互いに相異なる方向を向いていることから、細かく見ると凸凹している感じであるが、全体としては六角柱の形状を呈している。
【００１５】
このような外観形状に類似するものとしては、例えば、缶ジュースや缶チューハイにおいて、空栓すると缶の外面が多面から形成されるように変化し、隣接する各多面は互いに向きの異なるものとなるように構成された商品が広く知られている。携帯用マイナスイオン発生加湿器１０００は、空栓動作はないが、常に図１に示すような複数の三角形で各面が構成された六角柱であって、隣接する三角形は互いに向き（法線）が相異なるものとなる形状である。もちろん、外形は図１に示す六角柱に限定されるものではなく、円柱形状やその他の多角形状であってもよい。
【００１６】
図１に示すように、携帯用マイナスイオン発生加湿器１０００は、下半分が水タンクになっており、水位を確認できる水位確認窓１６００を本体下部に有している。また、上フタ１７００の最上面には、マイナスイオンを放出するための放射状に配置されたスリット形状のマイナスイオン放出孔１７１０（ａ），１７１０（ｂ），１７１０（ｃ），１７１０（ｄ）（以下、総括して適宜マイナスイオン放出孔１７１０と称する）を備える。
【００１７】
また、上フタ１７００の最上面の中央には、超音波振動により霧化された水蒸気を放出するための中央放出孔１７３０を備える。中央放出孔１７３０は、上フタ１７００の最上面から盛り上がって突出した縁を有している。また、上フタ１７００の最上面には、中央放出孔１７３０に対してマイナスイオン放出孔１７１０の対称位置に放射状に配置された、スリット形状の空気取り入れ孔１７２０（ａ），１７２０（ｂ），１７２０（ｃ），１７２０（ｄ）（以下、総括して適宜空気取り入れ孔１７２０と称する）を備える。
【００１８】
また、上フタ１７００の最上面の前方側には、電源スイッチ１７４０が配置されている。マイナスイオン放出孔１７１０と空気取り入れ孔１７２０とは、共にスリット形状として示しているが、これに限定されるものではなく、ドット形状等任意の形状とすることができる。
【００１９】
また、図２は、本考案の携帯用マイナスイオン発生加湿器１０００の外観を説明する正面図である。図１で示す箇所と同一の箇所には同一符号を付しているのでその説明を省略する。図２に示すように、携帯用マイナスイオン発生加湿器１０００の底部には、安定した載置を可能にする滑り止めクッション部１６１０が設けられている。滑り止めクッション部１６１０は、フェルト等の布を用いてもよいし、エラストマーや各種ゴム部材・樹脂等の公知の緩衝部材を用いてもよい。
【００２０】
また、携帯用マイナスイオン発生加湿器１０００の本体下部と上フタ１７００との向き合わせを容易にするために、位置合わせマーカー１６５０，１７５０が本体下部と上フタ１７００とにそれぞれ設けられる。上フタ１７００を取り外すことにより、水タンクへの給水や内蔵バッテリーの交換等の各種メンテナンスを行えるものとなる。
【００２１】
また、図３は、本考案の携帯用マイナスイオン発生加湿器１０００の外観を説明する背面図である。携帯用マイナスイオン発生加湿器１０００の背面側には、ＵＳＢ端子１７６０が設けられており、ＵＳＢ電源により稼働することも可能であるし、内蔵バッテリーへの充電をＵＳＢ電源から行うことも可能である。
【００２２】
また、図４は、本考案の携帯用マイナスイオン発生加湿器１０００の外観を説明する平面図である。図４には、携帯用マイナスイオン発生加湿器１０００の最上面が最もよく反映されている。図４から理解できるように、マーカー１７５０は、側面から突出して構成されていることにより目視によるだけでなく、上フタ１７００装着作業時の手触り感覚をも利用して、装着向きを正しいものとしかつ確認することが可能である。
【００２３】
また、図５は、本考案の携帯用マイナスイオン発生加湿器１０００の外観を説明する底面図であり、図６は、本考案の携帯用マイナスイオン発生加湿器１０００の外観を説明する右側面図であり、図７は、本考案の携帯用マイナスイオン発生加湿器１０００の外観を説明する左側面図である。
【００２４】
次に、携帯用マイナスイオン発生加湿器１０００の内部構成の概要について、図８を用いて以下に説明する。図８は、本考案の携帯用マイナスイオン発生加湿器１０００の内部構成概要を説明する図である。図８に示すように、携帯用マイナスイオン発生加湿器１０００の約下半分は、水タンク１４００で占められており、所定量（例えば２００ｍｌ〜３００ｍｌ程度等）の水を貯めておくことができる。
【００２５】
水タンク１４００に貯められている水は、綿棒１３００を介して上方に吸い上げられて、綿棒１３００の最上部に配置された超音波霧化ユニット１２００で霧化されて、中央放出孔１７３０から外部へ放出される。この場合に、水を吸い上げるための吸い上げポンプ等は必要とされず、毛細管現象により自然に吸い上げられるものとなる。また、ここで示す綿棒１３００は、薬局等で市販されている耳垢取り用のものではなく、いわゆる「綿で形成された柱状の棒状体」を意味するものである。
【００２６】
図８において、綿棒１３００及び超音波霧化ユニット１２００の紙面右側に配置されているのが、マイナスイオン発生器１１００である。マイナスイオン発生器１１００は、不図示の送気ファンを備えており、マイナスイオン発生器１１００の上部から上方に向けてマイナスイオンを放出することができる。
【００２７】
また、綿棒１３００及び超音波霧化ユニット１２００に対して、マイナスイオン発生器１１００の反対側であす図８紙面左側には、内蔵バッテリー１５００を備えているものとする。内蔵バッテリー１５００は、リチウムイオン電池等の充放電が可能な公知の二次電池を用いてもよい。携帯用マイナスイオン発生加湿器１０００は、内蔵バッテリー１５００を電源として所定時間、外部からの電力供給無しで動作することが可能である。
【００２８】
本考案の携帯用マイナスイオン発生加湿器１０００は、柱状の本体下部に配置された水タンク１４００と、水タンク１４００の上方に配置され、水タンク１４００内の水を本体の中央において吸い上げて上方へと運ぶ綿棒１３００と、綿棒１３００の上方に配置されて、綿棒１３００から供給される水を霧化して本体上面の中央放出孔１７３０から外部上方へ放出する超音波霧化ユニット１２００と、綿棒１３００の周囲に配置された内蔵バッテリー１５００及びマイナスイオン発生器１１００とを備える。
【００２９】
また、本考案の携帯用マイナスイオン発生加湿器１０００は、好ましくはマイナスイオン発生器１１００で生成されたマイナスイオンは、中央放出孔１７３０の周囲であって本体上面に設けられたマイナスイオン放出孔１７１０から放出される。
【００３０】
また、本考案の携帯用マイナスイオン発生加湿器１０００は、さらに好ましくは本体上面には、本体の内部へ空気を取り入れる空気取り入れ孔１７２０をさらに備える。
【００３１】
また、本考案の携帯用マイナスイオン発生加湿器１０００は、さらに好ましくはマイナスイオン放出孔１７１０と空気取り入れ孔１７２０とは、中央放出孔１７３０から放射状に設けられることを特徴とする。
【００３２】
また、本考案の携帯用マイナスイオン発生加湿器１０００は、さらに好ましくはマイナスイオン放出孔１７１０と空気取り入れ孔１７２０とは、中央放出孔１７３０に対して対称に構成される。
【００３３】
また、本考案の携帯用マイナスイオン発生加湿器１０００は、さらに好ましくは本体は、平面視の外形が六角形である。
【００３４】
また、本考案の携帯用マイナスイオン発生加湿器１０００は、さらに好ましくは中央放出孔１７３０は、本体上面に対して突出して設けられる。
【００３５】
また、本考案の携帯用マイナスイオン発生加湿器１０００は、さらに好ましくは本体の側面には、水タンク１４００内の水位を確認できる水位確認窓１６００が設けられる。
【００３６】
また、本考案の携帯用マイナスイオン発生加湿器１０００は、さらに好ましくは本体の上面には、電源スイッチ１７４０が配置される。
【００３７】
また、本考案の携帯用マイナスイオン発生加湿器１０００は、さらに好ましくは中央放出孔１７３０は、六角形である。
【００３８】
また、本考案の携帯用マイナスイオン発生加湿器１０００は、さらに好ましくは本体の側面は、任意の大きさ及び形状の三角形を単位とする複数の面で構成される。
【００３９】
また、本考案の携帯用マイナスイオン発生加湿器１０００は、さらに好ましくは三角形を単位とする複数の面は、隣り合う面が互いに異なる向きに配置される。
【００４０】
本考案に係る携帯用マイナスイオン発生加湿器は、上述の説明及び図面に示す形状・構造等に限定されるものではなく、本考案の射程の範囲内において、当業者の知り得る適宜公知または周知の手法等を用いて変形しアレンジしてもよいものである。
【符号の説明】
【００４１】
１０００・・携帯用マイナスイオン発生加湿器、１１００・・マイナスイオン発生器、１２００・・超音波霧化ユニット、１３００・・綿棒、１４００・・水タンク、１５００・・内臓バッテリー、１６００・・水位確認窓、１６１０・・滑り止めクッション部、１６５０・・マーカー、１７００・・上フタ、１７１０・・マイナスイオン放出孔、１７２０・・空気取り入れ孔、１７３０・・中央放出孔、１７４０・・電源スイッチ、１７５０・・マーカー。
【図１】
0003215025.tif 000003
【図２】
0003215025.tif 000004
【図３】
0003215025.tif 000005
【図４】
0003215025.tif 000006
【図５】
0003215025.tif 000007
【図６】
0003215025.tif 000008
【図７】
0003215025.tif 000009
【図８】
0003215025.tif 000010